(57)【要約】【課題】綴じ針の高さよりも厚い紙束を綴じることができる両面型ステープラーを提供する。【解決手段】両面型ステープラー３００は、第１のステープラー１００のコの字型の綴じ針１１０を収納するマガジン１０１と、綴じ針１１０を打ち出す押刃１０２を先端に備えた第１のステープラー１００のハンドル１０３と、打ち出された綴じ針１１０をクリンチする第１のステープラー１００のアンビル１０６が先端にある第１のステープラー１００のベース１０５で構成される第１のステープラー１００を、複数個並列に連結させて、そのうち少なくとも１つが綴じる紙束に対して逆方向になっているものである。【選択図】図３
2012223828.tif 000002
【特許請求の範囲】
【請求項１】
綴じ針の高さよりも厚い紙束を綴じることができる両面型ステープラーにおいて、複数のステープラーを並列に連結させて、そのうち少なくとも１つが綴じる紙束に対して逆方向を向いており、前記ステープラーの１つ１つは、綴じ針を収納するマガジンと、綴じ針を打ち出す押刃を先端に備えたハンドルと、打ち出された綴じ針をクリンチするアンビルが先端にあるベースとを後端部にて回動自在に軸着したステープラーからなる両面型ステープラー。
【請求項２】
前記ベースが、少なくとも前記ハンドルよりも先端側に長い請求項１記載の両面型ステープラー。
【請求項３】
前記ベースが、先端側に向かうにつれて薄くなっている請求項１又は２記載の両面型ステープラー。
【請求項４】
前記ステープラーが、前記ベースを対称線として前記ハンドルと対称の位置にある裏ハンドルが設けられた請求項１、２又は３記載の両面型ステープラー。
【請求項５】
前記ステープラーの個数が２個の場合、前記ハンドルと前記裏ハンドルをそれぞれ隣のものと合体させた幅広ハンドルを有し、共有軸穴に共有軸を通して２個のステープラーを固定した請求項４記載の両面型ステープラー。
【請求項６】
前記ステープラーの個数が２個の場合、前記ハンドルと前記裏ハンドルをそれぞれ隣のものと合体させた幅広ハンドルを有し、各ステープラーの前記ベースの隣り合って接している面に合うコの字型固定具を接着させ、固定した請求項４記載の両面型ステープラー。
【発明の詳細な説明】
【技術分野】
【０００１】
本発明は、綴じ針の高さよりも厚い紙束を綴じることができる両面型ステープラーに関するものである。
【背景技術】
【０００２】
家庭用ステープラーでは、綴じる用紙が多くなり、紙束が厚くなるとステープラーの針が紙束を貫通せず、うまく綴じることができなかった。
【０００３】
従来のステープラーは、用紙が増えて厚くなった紙束を綴じるために、綴じ針を打ち出す押刃を備えたハンドルに頑丈で長い補助ハンドルを付けたものがある。これは、てこの原理を利用し、押し込む力を増加させて、厚くなった紙束でも確実に綴じることができる(特許文献１参照)。
【０００４】
【特許文献１】特開２００２‐２８８７７号公報(段落０００３〜００２１、第1図)
【発明の開示】
【発明が解決しようとする課題】
【０００５】
しかしながら、てこの原理を利用し、押し込む力を増加させるには、丈夫で長い補助ハンドルを付けなければならず、そうすることで、ステープラー全体の大きさは大きくなり、持ち運びに不便で、広いスペースも必要となるので、家庭で手軽に利用することに適さないという問題点がある。また、どんなに丈夫で長い補助ハンドルを付けたとしても、図１に示すように、綴じ針の高さよりも厚い紙束を綴じることはできない。
【０００６】
本発明は、このような従来の問題を解決しようとするもので、小型で持ち運びやすく、家庭で利用するのに適し、なおかつ、図２に示すように、綴じる紙束に対して垂直方向に、同時に複数箇所綴じることで、綴じ針の高さよりも厚い紙束を綴じることができる両面型ステープラーを提供することを目的とするものである。
【課題を解決するための手段】
【０００７】
上記課題を解決するために、本発明は、下記のステープラーを提供するものである。
【０００８】
（１）綴じ針の高さよりも厚い紙束を綴じることができる両面型ステープラーにおいて、複数のステープラーを並列に連結させて、そのうち少なくとも１つが綴じる紙束に対して逆方向を向いており、前記ステープラーの１つ１つは、綴じ針を収納するマガジンと、綴じ針を打ち出す押刃を先端に備えたハンドルと、打ち出された綴じ針をクリンチするアンビルが先端にあるベースとを後端部にて回動自在に軸着している。
【０００９】
（２）前記ベースが、少なくとも前記ハンドルよりも先端側に長くなっている。
【００１０】
（３）前記ベースが、先端側に向かうにつれて薄くなっている。
【００１１】
（４）前記ステープラーが、前記ベースを対称線として前記ハンドルと対称の位置にある裏ハンドルが設けられている。
【００１２】
（５）前記ステープラーの個数が２個の場合、前記ハンドルと前記裏ハンドルをそれぞれ隣のものと合体させた幅広ハンドルを有し、共有軸穴に共有軸を通して２個のステープラーを固定している。
【００１３】
（６）前記ステープラーの個数が２個の場合、前記ハンドルと前記裏ハンドルをそれぞれ隣のものと合体させた幅広ハンドルを有し、各ステープラーの前記ベースの隣り合って接している面に合うコの字型固定具を接着させ、固定している。
【発明の効果】
【００１４】
本発明によれば、綴じ針の高さよりも厚い紙束を綴じることができる。また、同量の用紙を綴じることができる従来のステープラーと比較して、小型で持ち運びやすく、便利である。
【図面の簡単な説明】
【００１５】
【図１】従来のステープラーの綴じ針と紙束の厚さとの関係を示す説明図である。
【図２】両面型ステープラーの綴じ針と紙束の厚さとの関係を示す説明図である。
【図３】本発明の両面型ステープラーの斜視図である。
【図４】本発明の両面型ステープラーの分解斜視図である。
【図５】アンビルの動作説明図である。
【図６】本発明の両面型ステープラーの斜視図である。
【図７】本発明の両面型ステープラーの斜視図である。
【図８ａ】紙束の断面図である。
【図８ｂ】紙束に差し込んだ両面型ステープラーの断面図である。
【図９】綴じ針が紙束を綴じる領域図である。
【図１０】軸共有型の両面型ステープラーの分解斜視図である。
【図１１】軸共有型の両面型ステープラーの断面図である。
【図１２】ベース一体型の両面型ステープラーの分解斜視図である。
【図１３】ベース一体型の両面型ステープラーの斜視図である。
【図１４】ベース一体型の両面型ステープラーの断面図である。
【発明を実施するための最良の形態】
【００１６】
図３は本発明の両面型ステープラー３００の斜視図である。
【００１７】
本発明の実施の形態に係る両面型ステープラー３００は、図４に示すように、第１のステープラー１００のコの字型の綴じ針１１０を収納するマガジン１０１と、綴じ針１１０を打ち出す押刃１０２を先端に備えた第１のステープラー１００のハンドル１０３と、打ち出された綴じ針１１０をクリンチする第１のステープラー１００のアンビル１０６が先端にある第１のステープラー１００のベース１０５で構成される第１のステープラー１００を、複数個並列に連結させて、そのうち少なくとも１つが綴じる紙束に対して逆方向になっているものである。
【００１８】
以下に本発明の両面型ステープラー３００の実施例について詳細に説明する。
【００１９】
本発明の両面型ステープラー３００は、図４に示すように、第１のステープラー１００のハンドル１０３と、第１のステープラー１００のベース１０５とを後端部で回動自在に第１のステープラー１００のハンドル１０３の軸穴１０８を第１のステープラー１００の軸１１３で軸着している。第１のステープラー１００の裏ハンドル１０７は、第１のステープラー１００のベース１０５を対称線として第１のステープラー１００のハンドル１０３と対称の位置にある。その裏ハンドル１０７は、後端部で回動自在に第１のステープラー１００の裏ハンドル１０７の軸穴１０９を軸１１４で軸着している。
【００２０】
第１のステープラー１００のハンドル１０３と第２のステープラー２００の裏ハンドル２０７を合体させた両面型ステープラー３００の幅広ハンドル３０１がある。第１のステープラー１００のハンドル１０３の軸穴１０８と第２のステープラー２００の裏ハンドル２０７の軸穴２０９を合体させた共有軸穴３０３がある。その共有軸穴３０３を両面型ステープラー３００の軸３１３で軸着している。
【００２１】
同様に、第１のステープラー１００の裏ハンドル１０７と第２のステープラー２００のハンドル２０３を合体させた両面型ステープラー３００の幅広裏ハンドル３０２がある。第１のステープラー１００の裏ハンドル１０７の軸穴１０９と第２のステープラー２００のハンドル２０３の軸穴２０８を合体させた共有軸穴３０４がある。その共有軸穴３０４を両面型ステープラー３００の軸３１４で軸着している。
【００２２】
第１のステープラー１００のハンドル１０３を押すことによって、綴じ針１１０を打ち出す押刃１０２が第１のステープラー１００の綴じ針１１０打ち出し部１０４にある綴じ針１１０を押し出す。
【００２３】
第１のステープラー１００のベース１０５と第１のステープラー１００の綴じ針１１０打ち出し部１０４が接するところに第１のステープラー１００のアンビル１０６がある。
【００２４】
第１のステープラー１００のアンビル１０６は、図５に示すように、長手方向に並列に２つの第１のステープラー１００の溝１１７と第１のステープラー１００の溝１１８がある。
【００２５】
打ち出された第１のステープラー１００のコの字型の綴じ針１１０の先端１１５と第１のステープラー１００のコの字型の綴じ針１１０の先端１１６がそれぞれの第１のステープラー１００のアンビル１０６の溝１１７と第１のステープラー１００のアンビル１０６の溝１１８に当たり、第１のステープラー１００のコの字型の綴じ針１１０が押し曲げられる。
【００２６】
図６に示すように、第１のステープラー１００のベース１０５は、少なくとも両面型ステープラー３００の幅広ハンドル３０１および両面型ステープラー３００の幅広裏ハンドル３０２よりも先端側に長くなっている第１のステープラー１００の薄長板状ベース１１１を有する。その薄長板状ベース１１１は、先端側に向かうにつれて薄くなっている。
【００２７】
同様に、第２のステープラー２００のベース２０５は、少なくとも両面型ステープラー３００の幅広ハンドル３０１および両面型ステープラー３００の幅広裏ハンドル３０２よりも先端側に長くなっている第２のステープラー２００の薄長板状ベース２１１を有する。その薄長板状ベース２１１は、先端側に向かうにつれて薄くなっている。この工夫により、両面型ステープラー３００が紙束６に差し込みやすくなる。
【００２８】
図７に示すように、第１のステープラー１００のベース１０５は、両面型ステープラー３００を上から見ると先端が半円形で、横から見ると楔形になっている第１のステープラー１００の半円形状ベース１１２を有する。
【００２９】
同様に、第２のステープラー２００のベース２０５は、両面型ステープラー３００を上から見ると先端が半円形で、横から見ると楔形になっている第２のステープラー２００の半円形状ベース２１２を有する。この工夫により、両面型ステープラー３００が紙束６に差し込みやすくなる。
【００３０】
図８および図９を参照して、両面型ステープラー３００の使い方を説明する。
【００３１】
図８（a）に示すように、第１の紙束１、第２の紙束２、第３の紙束３、第４の紙束４、第５の紙束５がある。第１の紙束１の外側に第１の空間１０がある。同様に、第１の紙束１と第２の紙束２の間に第２の空間１１がある。第２の紙束２と第３の紙束３の間に第３の空間１２がある。第３の紙束３と第４の紙束４の間に第４の空間１３がある。第４の紙束４と第５の紙束５の間に第５の空間１４がある。第５の紙束５の外側に第６の空間１５がある。
【００３２】
図８（b）に示すように、第１の空間１０に第１のステープラー１００の綴じ針１１０を収納するマガジン１０１を差し込む。また、第４の空間１３に第１のステープラー１００のベース１０５を差し込む。同様に、第３の空間１２に第２のステープラー２００のベース２０５を差し込む。また、第６の空間１５に第２のステープラー２００の綴じ針２１０を収納するマガジン２０１を差し込む。
【００３３】
第１のステープラー１００の綴じ針１１０を収納するマガジン１０１と第１のステープラー１００のベース１０５の間に両面型ステープラー３００の第１のスペース３１０がある。第１のステープラー１００のベース１０５と第２のステープラー２００のベース２０５の間に両面型ステープラー３００の第２のスペース３１１がある。第２のステープラー２００のベース２０５と第２のステープラー２００の綴じ針２１０を収納するマガジン２０１の間に両面型ステープラー３００の第３のスペース３１２がある。
【００３４】
両面型ステープラー３００の第１のスペース３１０に第１の紙束１と第２の紙束２を挟み、両面型ステープラー３００の第２のスペース３１１に第３の紙束３を挟み、両面型ステープラー３００の第３のスペース３１２に第４の紙束４と第５の紙束５を挟むように両面型ステープラー３００を紙束６に差し込む。
【００３５】
図９に示すように、両面型ステープラー３００の幅広ハンドル３０１と両面型ステープラー３００の幅広裏ハンドル３０２を押すと、第１のステープラー１００の綴じ針１１０は、第１の紙束１、第２の紙束２と第３の紙束３を綴じる。同様に、第２のステープラー２００の綴じ針２１０は、第３の紙束３、第４の紙束４と第５の紙束５を綴じる。
【００３６】
したがって、第３の紙束３が第１のステープラー１００の綴じ針１１０と第２のステープラー２００の綴じ針２１０の両方に綴じられるので、紙束６を綴じることができる。
【００３７】
以下に第１のステープラー１００と第２のステープラー２００を一体化させる方法について説明する。
【００３８】
図１０および図１１を参照して、軸共有型の両面型ステープラー３０７を説明する。
【００３９】
図１０と図１１に示すように、第１のステープラー１００の共有軸穴１１９と第２のステープラー２００の共有軸穴２１９を一致させた両面型ステープラー３００の共有軸穴３０５がある。
【００４０】
両面型ステープラー３００の共有軸穴３０５を両面型ステープラー３００の共有軸３０６で軸着することによって、第１のステープラー１００と第２のステープラー２００を一体化させた両面型ステープラー３００を軸共有型の両面型ステープラー３０７と呼ぶ。
【００４１】
図１２、図１３および図１４を参照して、ベース一体型の両面型ステープラー３０９を説明する。
【００４２】
図１２に示すように、両面型ステープラーのコの字型固定具３０８を第１のステープラー１００と第２のステープラー２００の間に配置する。
【００４３】
図１３と図１４に示すように、第１のステープラー１００のベース１０５の側面と両面型ステープラーのコの字型固定具３０８の一方の側面の高さを一致させ、一体化させる。
【００４４】
同様に、第２のステープラー２００のベース２０５の側面と両面型ステープラーのコの字型固定具３０８の他方の側面の高さを一致させ、一体化させる。
【００４５】
両面型ステープラーのコの字型固定具３０８で第１のステープラー１００と第２のステープラー２００を一体化させた両面型ステープラー３００をベース一体型の両面型ステープラー３０９と呼ぶ。
【符号の説明】
【００４６】
１００第１のステープラー
１０１第１のステープラーのコの字型の綴じ針を収納するマガジン
１０２第１のステープラーのコの字型の綴じ針を打ち出す押刃
１０３第１のステープラーのハンドル
１０４第１のステープラーのコの字型の綴じ針打ち出し部
１０５第１のステープラーのベース
１０６第１のステープラーのアンビル
１０７第１のステープラーの裏ハンドル
１１０第１のステープラーのコの字型の綴じ針
２００第２のステープラー
２０１第２のステープラーのコの字型の綴じ針を収納するマガジン
２０２第２のステープラーのコの字型の綴じ針を打ち出す押刃
２０３第２のステープラーのハンドル
２０４第２のステープラーのコの字型の綴じ針打ち出し部
２０５第２のステープラーのベース
２０６第２のステープラーのアンビル
２０７第２のステープラーの裏ハンドル
２１０第２のステープラーのコの字型の綴じ針
３００両面型ステープラー
３０１両面型ステープラーの幅広ハンドル
３０２両面型ステープラーの幅広裏ハンドル
【図３】
2012223828.tif 000003
【図４】
2012223828.tif 000004
【図６】
2012223828.tif 000005
【図７】
2012223828.tif 000006
【図１０】
2012223828.tif 000007
【図１２】
2012223828.tif 000008
【図１】
2012223828.tif 000009
【図２】
2012223828.tif 000010
【図５】
2012223828.tif 000011
【図８ａ】
2012223828.tif 000012
【図８ｂ】
2012223828.tif 000013
【図９】
2012223828.tif 000014
【図１１】
2012223828.tif 000015
【図１３】
2012223828.tif 000016
【図１４】
2012223828.tif 000017
【手続補正書】
【提出日】平成23年9月17日(2011.9.17)
【手続補正１】
【補正対象書類名】特許請求の範囲
【補正対象項目名】全文
【補正方法】変更
【補正の内容】
【特許請求の範囲】
【請求項１】
綴じ針の高さよりも厚い紙束を綴じることができる両面型ステープラーにおいて、第１のステープラー及び第２のステープラーがあり、第１のステープラーのハンドルと第２のステープラーの裏ハンドルを合体し、第１のステープラーの裏ハンドルと第２のステープラーのハンドルを合体させており、綴じる紙束に対して第１のステープラーは紙束の表側から針を打ち込む方向であり、第２ステープラーは紙束の裏側から針を打ち込む方向となっており、前記ステープラーの１つ１つは、綴じ針を収納するマガジンと、綴じ針を打ち出す押刃を先端に備えたハンドルと、打ち出された綴じ針をクリンチするアンビルが先端にあるベースとを後端部にて回動自在に軸着したステープラーからなる両面型ステープラー。
【請求項２】
前記ベースが、少なくとも前記ハンドルよりも先端側に長い請求項１記載の両面型ステープラー。
【請求項３】
前記ベースが、先端側に向かうにつれて薄くなっている請求項１又は２記載の両面型ステープラー。
【請求項４】
前記ステープラーが、前記ベースを対称線として前記ハンドルと対称の位置にある裏ハンドルが設けられた請求項１、２又は３記載の両面型ステープラー。
【手続補正２】
【補正対象書類名】明細書
【補正対象項目名】０００８
【補正方法】変更
【補正の内容】
【０００８】（１）綴じ針の高さよりも厚い紙束を綴じることができる両面型ステープラーにおいて、第１のステープラー及び第２のステープラーがあり、第１のステープラーのハンドルと第２のステープラーの裏ハンドルを合体し、第１のステープラーの裏ハンドルと第２のステープラーのハンドルを合体させており、綴じる紙束に対して第１のステープラーは紙束の表側から針を打ち込む方向であり、第２ステープラーは紙束の裏側から針を打ち込む方向となっており、前記ステープラーの１つ１つは、綴じ針を収納するマガジンと、綴じ針を打ち出す押刃を先端に備えたハンドルと、打ち出された綴じ針をクリンチするアンビルが先端にあるベースとを後端部にて回動自在に軸着している。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１７
【補正方法】変更
【補正の内容】
【００１７】本発明の実施の形態に係る両面型ステープラー３００は、図４に示すように、第１のステープラー１００のコの字型の綴じ針１１０を収納するマガジン１０１と、綴じ針１１０を打ち出す押刃１０２を先端に備えた第１のステープラー１００のハンドル１０３と、打ち出された綴じ針１１０をクリンチする第１のステープラー１００のアンビル１０６が先端にある第１のステープラー１００のベース１０５で構成される第１のステープラー１００及び第２のステープラー２００があり、第１のステープラー１００のハンドル１０３と第２のステープラー２００の裏ハンドル２０７を合体し、第１のステープラー１００の裏ハンドル１０７と第２のステープラー２００のハンドル２０３を合体させており、綴じる紙束に対して第１のステープラー１００は紙束の表側から針を打ち込む方向であり、第２ステープラー２００は紙束の裏側から針を打ち込む方向となっているものである。